(57)【要約】【課題】利用金額が日によって異なる利用者に対しても残額不足の通知を適切に行なうことができるプリペイド媒体の残額不足通知方法を提供する。【解決手段】価値の増減が可能なプリペイドカードから、当該プリペイドカードの利用時に価値の減算処理を行なうプリペイドカード処理システムにおいて、プリペイドカードの利用時に、当該プリペイドカードに記録されている利用履歴に基づき利用金額を推定し、この推定した利用金額と当該プリペイドカードに記録されている残高とを比較し、残高が推定した利用金額に満たない場合に残額不足である旨を通知する。【選択図】      図３
2008033803.tif 000002
【特許請求の範囲】
【請求項１】
価値の増減が可能なプリペイド媒体から、当該プリペイド媒体の利用時に価値の減算処理を行なうプリペイド媒体処理システムに適用されるプリペイド媒体の残額不足通知方法であって、
前記プリペイド媒体の利用時に、当該プリペイド媒体に記録されている利用履歴に基づき利用金額を推定し、この推定した利用金額と当該プリペイド媒体に記録されている残高とを比較し、残高が推定した利用金額に満たない場合に残額不足である旨を通知することを特徴とするプリペイド媒体の残額不足通知方法。
【請求項２】
前記プリペイド媒体は非接触ＩＣカードにより構成されていることを特徴とする請求項１記載のプリペイド媒体の残額不足通知方法。
【請求項３】
価値の増減が可能なプリペイド媒体機能を搭載した携帯端末装置のプリペイド媒体機能から、当該プリペイド媒体機能の利用時に価値の減算処理を行なうプリペイド媒体処理システムに適用されるプリペイド媒体の残額不足通知方法であって、
前記プリペイド媒体機能の利用時に、当該プリペイド媒体機能に記録されている利用履歴に基づき利用金額を推定し、この推定した利用金額と当該プリペイド媒体機能に記録されている残高とを比較し、残高が推定した利用金額に満たない場合に残額不足である旨を通知することを特徴とするプリペイド媒体の残額不足通知方法。
【請求項４】
価値の増減が可能なプリペイド媒体機能を搭載した携帯端末装置のプリペイド媒体機能から、当該プリペイド媒体機能の利用時に価値の減算処理を行なうプリペイド媒体処理システムに適用されるプリペイド媒体の残額不足通知方法であって、
当日が休日前かどうかを判定し、当日が休日前の場合に、当該プリペイド媒体機能に記録されている現在の残高が当該プリペイド媒体機能に記録されている基準額に所定の割増比率を乗じた額未満かどうかを判定し、現在の残高が基準額に所定の割増比率を乗じた額未満である場合に残額不足である旨を通知することを特徴とするプリペイド媒体の残額不足通知方法。
【請求項５】
前記プリペイド媒体機能は非接触ＩＣカード機能であることを特徴とする請求項３または請求項４記載のプリペイド媒体の残額不足通知方法。
【請求項６】
前記当日が休日前かどうかの判定は、あらかじめ設定された時刻あるいは前記プリペイド媒体機能の利用時に行なうことを特徴とする請求項４記載のプリペイド媒体の残額不足通知方法。
【請求項７】
前記携帯端末装置は、携帯電話機あるいはパーソナルデジタルアシスト（ＰＤＡ）等であることを特徴とする請求項３または請求項４記載のプリペイド媒体の残額不足通知方法。
【請求項８】
価値の増減が可能なプリペイド媒体が利用者により提示された際、当該プリペイド媒体と通信を行なうことにより当該プリペイド媒体内の価値の減算処理を行なう自動改札装置であって、
前記プリペイド媒体が提示された際、当該プリペイド媒体と通信を行なうことにより当該プリペイド媒体に記録されている利用履歴および残高を取得する取得手段と、
この取得手段により取得された利用履歴に基づき利用金額を推定する利用金額推定手段と、
この利用金額推定手段により推定された利用金額と前記取得手段により取得された残高とを比較する比較手段と、
この比較手段による比較の結果、残高が推定した利用金額に満たない場合、前記利用者に対し残額不足である旨を通知する残額不足通知手段と、
を具備したことを特徴とする自動改札装置。
【請求項９】
前記プリペイド媒体は非接触ＩＣカードにより構成されていることを特徴とする請求項８記載の自動改札装置。
【請求項１０】
価値の増減が可能なプリペイド媒体機能を搭載し、当該プリペイド媒体機能の利用時に価値の減算処理が行なわれる携帯端末装置であって、
あらかじめ設定された所定の時刻に、前記プリペイド媒体機能に記録されている利用履歴および残高を取得する取得手段と、
この取得手段により取得された利用履歴に基づき利用金額を推定する利用金額推定手段と、
この利用金額推定手段により推定された利用金額と前記取得手段により取得された残高とを比較する比較手段と、
この比較手段による比較の結果、残高が推定した利用金額に満たない場合に残額不足である旨を通知する残額不足通知手段と、
を具備したことを特徴とする携帯端末装置。
【請求項１１】
価値の増減が可能なプリペイド媒体機能を搭載し、当該プリペイド媒体機能の利用時に価値の減算処理が行なわれる携帯端末装置であって、
前記プリペイド媒体機能に記録されている残高を取得する第１の取得手段と、
カレンダ情報を取得する第２の取得手段と、
この第２の取得手段により取得されたカレンダ情報に基づき当日が休日前かどうかを判定する第１の判定手段と、
この第１の判定手段による判定の結果、当日が休日前でない場合、前記第１の取得手段により取得された残高があらかじめ設定される基準額未満かどうかを判定する第２の判定手段と、
前記第１の判定手段による判定の結果、当日が休日前である場合、前記第１の取得手段により取得された残高が前記基準額に所定の割増比率を乗じた額未満かどうかを判定する第３の判定手段と、
前記第２の判定手段による判定の結果、残高が基準額未満である場合、あるいは、前記第３の判定手段による判定の結果、残高が基準額に所定の割増比率を乗じた額未満である場合、残額不足である旨を通知する残額不足通知手段と、
を具備したことを特徴とする携帯端末装置。
【請求項１２】
前記プリペイド媒体機能は非接触ＩＣカード機能であることを特徴とする請求項１０または請求項１１記載の携帯端末装置。
【請求項１３】
前記第１の判定手段は、あらかじめ設定された時刻あるいは前記プリペイド媒体機能の利用時に当日が休日前かどうかの判定を行なうことを特徴とする請求項１１記載の携帯端末装置。
【請求項１４】
前記携帯端末装置は、携帯電話機あるいはパーソナルデジタルアシスト（ＰＤＡ）等であることを特徴とする請求項１０または請求項１１記載の携帯端末装置。
【発明の詳細な説明】
【技術分野】
【０００１】
本発明は、たとえば、価値の増減が可能なプリペイドカード（プリペイド媒体）から、当該プリペイドカードの利用時に価値の減算処理を行なうプリペイド媒体処理システムにおいて、プリペイドカードの残額不足が生じた場合、それを検出して当該プリペイド媒体の利用者に対し残額不足である旨を通知するプリペイド媒体の残額不足通知方法に関する。
【０００２】
また、本発明は、上記プリペイド媒体の残額不足通知方法を用いた自動改札装置および携帯電話機等の携帯端末装置に関する。
【背景技術】
【０００３】
たとえば、交通機関で用いられる非接触ＩＣカードにより構成されたプリペイドカードの残額不足を通知する残額不足通知方法として、自動改札装置の通過時、プリペイドカードの残額が基準額以下の場合に残額を通知する方法が公知である（たとえば、特許文献１参照）。
【０００４】
この公知技術では、基準額の設定について、利用者ごとの基準額をデータベースあるいはプリペイドカード内に登録する方法、基準額をシステムとして共通の額にする方法が記載されている。また、携帯端末装置搭載型のプリペイドカードの場合、インタネットを使用したクレジット決済等によるチャージ（積み増し）手続を行ない、自動改札装置の通過時にチャージを行なう方法についても記載されている。  
【特許文献１】特開２００４−２８０５２２号公報
【発明の開示】
【発明が解決しようとする課題】
【０００５】
しかしながら、上記した公知技術では、たとえば、利用金額が日によって異なる利用者（たとえば、月曜日、火曜日は１０００円、水曜日〜金曜日は５００円の利用金額の利用者）にとって以下のような問題点がある。
【０００６】
基準額が高めに設定されており（たとえば、１０００円に設定）、現在の残高が下記条件に当てはまる場合、  
基準額（１０００円）＞現在残高＞利用金額（５００円）  
利用金額が入金されているのに残額不足の通知が行なわれ、紛らわしい。
【０００７】
また、基準額が低めに設定されており（たとえば、５００円に設定）、現在残高が下記条件に当てはまる場合、  
利用額（１０００円）＞現在残高＞基準額（５００円）  
残額不足の通知が行なわれないため残高不足に気づかず、出場時に自動改札装置を通れない可能性がある。
【０００８】
このように、基準額が固定値である従来技術では、上記のような利用者の行動パターンの場合は適切な残額不足の通知が行なえないという問題がある。
【０００９】
そこで、本発明は、利用金額が日によって異なる利用者に対しても残額不足の通知を適切に行なうことができるプリペイド媒体の残額不足通知方法、自動改札装置および携帯端末装置を提供することを目的とする。
【課題を解決するための手段】
【００１０】
本発明のプリペイド媒体の残額不足通知方法は、価値の増減が可能なプリペイド媒体から、当該プリペイド媒体の利用時に価値の減算処理を行なうプリペイド媒体処理システムに適用されるプリペイド媒体の残額不足通知方法であって、前記プリペイド媒体の利用時に、当該プリペイド媒体に記録されている利用履歴に基づき利用金額を推定し、この推定した利用金額と当該プリペイド媒体に記録されている残高とを比較し、残高が推定した利用金額に満たない場合に残額不足である旨を通知することを特徴とする。
【００１１】
また、本発明のプリペイド媒体の残額不足通知方法は、価値の増減が可能なプリペイド媒体機能を搭載した携帯端末装置のプリペイド媒体機能から、当該プリペイド媒体機能の利用時に価値の減算処理を行なうプリペイド媒体処理システムに適用されるプリペイド媒体の残額不足通知方法であって、前記プリペイド媒体機能の利用時に、当該プリペイド媒体機能に記録されている利用履歴に基づき利用金額を推定し、この推定した利用金額と当該プリペイド媒体機能に記録されている残高とを比較し、残高が推定した利用金額に満たない場合に残額不足である旨を通知することを特徴とする。
【００１２】
また、本発明のプリペイド媒体の残額不足通知方法は、価値の増減が可能なプリペイド媒体機能を搭載した携帯端末装置のプリペイド媒体機能から、当該プリペイド媒体機能の利用時に価値の減算処理を行なうプリペイド媒体処理システムに適用されるプリペイド媒体の残額不足通知方法であって、当日が休日前かどうかを判定し、当日が休日前の場合に、当該プリペイド媒体機能に記録されている現在の残高が当該プリペイド媒体機能に記録されている基準額に所定の割増比率を乗じた額未満かどうかを判定し、現在の残高が基準額に所定の割増比率を乗じた額未満である場合に残額不足である旨を通知することを特徴とする。
【００１３】
また、本発明の自動改札装置は、価値の増減が可能なプリペイド媒体が利用者により提示された際、当該プリペイド媒体と通信を行なうことにより当該プリペイド媒体内の価値の減算処理を行なう自動改札装置であって、前記プリペイド媒体が提示された際、当該プリペイド媒体と通信を行なうことにより当該プリペイド媒体に記録されている利用履歴および残高を取得する取得手段と、この取得手段により取得された利用履歴に基づき利用金額を推定する利用金額推定手段と、この利用金額推定手段により推定された利用金額と前記取得手段により取得された残高とを比較する比較手段と、この比較手段による比較の結果、残高が推定した利用金額に満たない場合、前記利用者に対し残額不足である旨を通知する残額不足通知手段とを具備している。
【００１４】
また、本発明の携帯端末装置は、価値の増減が可能なプリペイド媒体機能を搭載し、当該プリペイド媒体機能の利用時に価値の減算処理が行なわれる携帯端末装置であって、あらかじめ設定された所定の時刻に、前記プリペイド媒体機能に記録されている利用履歴および残高を取得する取得手段と、この取得手段により取得された利用履歴に基づき利用金額を推定する利用金額推定手段と、この利用金額推定手段により推定された利用金額と前記取得手段により取得された残高とを比較する比較手段と、この比較手段による比較の結果、残高が推定した利用金額に満たない場合に残額不足である旨を通知する残額不足通知手段とを具備している。
【００１５】
さらに、本発明の携帯端末装置は、価値の増減が可能なプリペイド媒体機能を搭載し、当該プリペイド媒体機能の利用時に価値の減算処理が行なわれる携帯端末装置であって、前記プリペイド媒体機能に記録されている残高を取得する第１の取得手段と、カレンダ情報を取得する第２の取得手段と、この第２の取得手段により取得されたカレンダ情報に基づき当日が休日前かどうかを判定する第１の判定手段と、この第１の判定手段による判定の結果、当日が休日前でない場合、前記第１の取得手段により取得された残高があらかじめ設定される基準額未満かどうかを判定する第２の判定手段と、前記第１の判定手段による判定の結果、当日が休日前である場合、前記第１の取得手段により取得された残高が前記基準額に所定の割増比率を乗じた額未満かどうかを判定する第３の判定手段と、前記第２の判定手段による判定の結果、残高が基準額未満である場合、あるいは、前記第３の判定手段による判定の結果、残高が基準額に所定の割増比率を乗じた額未満である場合、残額不足である旨を通知する残額不足通知手段とを具備している。
【発明の効果】
【００１６】
本発明によれば、利用金額が日によって異なる利用者に対しても、固定値ではなく推定金額と現在残高との比較を行なうため、残額不足通知を適切に行なうことができる。したがって、たとえば、自動改札装置の通過時（出場時）に残高不足によって通れないという事態を未然に防ぐことができ、自動改札装置の混雑解消にもつながる。
【発明を実施するための最良の形態】
【００１７】
以下、本発明の実施の形態について図面を参照して説明する。  
まず、第１の実施の形態について説明する。  
図１は、第１の実施の形態に係るプリペイド媒体処理システム、たとえば、交通機関において、非接触ＩＣカードで構成されたプリペイドカード（プリペイド媒体）から、当該プリペイドカードの利用時に価値の減算処理を行なうプリペイドカード処理システムの構成を概略的に示すものである。このプリペイドカード処理システムは、交通機関の駅に設置されたプリペイドカード処理装置としての自動改札装置１０、および、この自動改札装置１０を利用する利用者Ｍが提示するプリペイドカード２０から構成されている。
【００１８】
プリペイドカード２０は、たとえば、非接触ＩＣカード（いわゆる無線カード）で構成されていて、内蔵するメモリ２１には、増減が可能な価値情報とともに、少なくとも過去の利用履歴情報（以降、単に利用履歴ともいう）Ｄ１および現在の残高情報（以降、単に残高ともいう）Ｄ２が記録（記憶）されている。  
利用履歴情報Ｄ１は、たとえば、図２に示すように、利用日時、利用区間、利用金額などから構成されている。
【００１９】
自動改札装置１０は、通常の自動改札機能の外に、プリペイドカード２０が提示された（翳された）際、当該プリペイドカード２０と無線通信を行なうことにより、当該プリペイドカード２０のメモリ２１に記録されている利用履歴Ｄ１および残高Ｄ２を取得する取得手段としての読取部（非接触ＩＣカードリーダライタ）１１、この読取部１１により取得された利用履歴Ｄ１に基づき利用金額を推定する利用金額推定手段、および、この利用金額推定手段により推定された利用金額と読取部１１により取得された残高とを比較する比較手段としての処理部（ＣＰＵ等）１２、この処理部１２による比較の結果、残高が推定した利用金額に満たない場合、利用者Ｍに対し残額不足である旨を通知する残額不足通知手段としての表示部１３を有している。
【００２０】
次に、このような構成において、プリペイドカード２０の残額不足通知処理の手順について図３に示すフローチャートを参照して説明する。
【００２１】
利用者Ｍが自動改札装置１０を通過する際、所持するプリペイドカード２０を読取部１１に翳すと（ステップＳ１）、読取部１１は、当該プリペイドカード２０と無線通信を行なうことにより、当該プリペイドカード２０のメモリ２１に記録されている利用履歴Ｄ１および残高Ｄ２をそれぞれ読取り（ステップＳ２）、処理部１２へ送る。
【００２２】
処理部１２は、受取った利用履歴Ｄ１から推定利用金額を割り出す（ステップＳ３）。ここに、推定利用金額の割り出し方法は、たとえば、一週間前の利用金額を推定利用金額とする方法や、履歴情報内の同じ曜日の利用金額の平均値を推定利用金額とする方法や、平日利用金額の平均値を推定利用金額とする方法などがあげられる。
【００２３】
次に、処理部１２は、推定利用金額と読取部１１により取得された残高とを比較する（ステップＳ４）。この比較の結果、残高が推定利用金額に満たない場合、処理部１２は、表示部１３に残額不足である旨、たとえば、残高が少ないのでチャージ（積み増し）が必要な旨を表示して、利用者Ｍに対し通知し（ステップＳ５）、処理を終了する。なお、ステップＳ４における比較の結果、残高が推定利用金額を満たす場合、処理を終了する。
【００２４】
このように、自動改札装置１０側で利用履歴を基に利用金額を推定して、残額不足の通知を行なうものである。これにより、利用金額が日によって異なる利用者に対しても、固定値ではなく推定金額と現在残高との比較を行なうため、残額不足の通知を適切に行なうことができる。したがって、自動改札装置１０の通過時（出場時）に残高不足によって通れないという事態を未然に防ぐことができ、自動改札装置１０の混雑解消にもつながる。
【００２５】
なお、上記第１の実施の形態では、交通機関において使用されるプリペイドカード処理システムに適用した場合について説明したが、本発明はこれに限定されるものではなく、価値の増減が可能なプリペイド媒体が使用されて、当該プリペイド媒体の利用時に価値の減算処理を行なうプリペイド媒体処理システムであれば適用可能である。
【００２６】
また、プリペイド媒体はプリペイドカードに限らず、たとえば、携帯電話機などの携帯端末装置に搭載されたプリペイドカード機能であってもよい。さらに、プリペイドカードとしての非接触ＩＣカードは、たとえば、乗車券（定期券等）とプリペイドカードの両機能を有する複合カードであってもよい。
【００２７】
次に、第２の実施の形態について説明する。  
図４は、第２の実施の形態に係るプリペイド媒体機能を搭載した携帯端末装置、たとえば、交通機関において利用されるプリペイドカード機能を搭載し、当該プリペイドカード機能の利用時に価値の減算処理が行なわれる携帯電話機の構成を概略的に示すものである。この携帯電話機３０は、交通機関の駅に設置された自動改札装置（たとえば、図１の自動改札装置１０）の読取部（図１の読取部１１）にプリペイドカード機能部を翳すことで、無線通信が行なわれる。
【００２８】
プリペイドカード機能は、たとえば、非接触ＩＣカード機能で構成されていて、内蔵するメモリ３１には、増減が可能な価値情報とともに、少なくとも過去の利用履歴情報（以降、単に利用履歴ともいう）Ｄ１および現在の残高情報（以降、単に残高ともいう）Ｄ２が記録（記憶）されている。  
利用履歴情報Ｄ１は、たとえば、図２に示すように、利用日時、利用区間、利用金額などから構成されている。
【００２９】
携帯電話機３０は、通常の携帯電話機能の外に、あらかじめ所望の時刻を設定する時刻設定手段としての時刻設定部３２、あらかじめ設定された所定の時刻にプリペイドカード機能のメモリ３１に記録されている利用履歴Ｄ１および残高Ｄ２を取得する取得手段、および、この取得手段により取得された利用履歴Ｄ１に基づき利用金額を推定する利用金額推定手段、および、この利用金額推定手段により推定された利用金額と取得手段により取得された残高とを比較する比較手段としての処理部（ＣＰＵ等）３３、この処理部３３による比較の結果、残高が推定した利用金額に満たない場合、当該携帯電話機３０の所持者に対し残額不足である旨を通知する残額不足通知手段としての表示部３４を有している。
【００３０】
次に、このような構成において、携帯電話機３０に搭載されたプリペイドカード機能の残額不足通知処理の手順について図５に示すフローチャートを参照して説明する。
【００３１】
処理部３３は、時刻設定部３２によりあらかじめ設定された所定の時刻になると（ステップＳ１１）、プリペイドカード機能のメモリ３１から利用履歴Ｄ１および残高Ｄ２をそれぞれ取得する（ステップＳ１２）。
【００３２】
次に、処理部３３は、取得した利用履歴Ｄ１から推定利用金額を割り出す（ステップＳ１３）。ここに、推定利用金額の割り出し方法は、たとえば、一週間前の利用金額を推定利用金額とする方法や、履歴情報内の同じ曜日の利用金額の平均値を推定利用金額とする方法や、平日利用金額の平均値を推定利用金額とする方法などがあげられる。
【００３３】
次に、処理部３３は、推定利用金額とメモリ３１から取得した残高とを比較する（ステップＳ１４）。この比較の結果、残高が推定利用金額に満たない場合、処理部３３は、表示部３４に残額不足である旨、たとえば、残高が少ないのでチャージ（積み増し）が必要な旨を表示して、当該携帯電話機３０の所持者に対し通知し（ステップＳ１５）、処理を終了する。なお、ステップＳ１４における比較の結果、残高が推定利用金額を満たす場合、処理を終了する。
【００３４】
このように、携帯電話機３０側であらかじめ設定された定時刻に利用履歴を基に利用金額を推定して、残額不足の通知を行なうものである。これにより、利用金額が日によって異なる利用者に対しても、固定値ではなく推定金額と現在残高との比較を行なうため、残額不足の通知を適切に行なうことができる。したがって、たとえば、自動改札装置の通過時（出場時）に残高不足によって通れないという事態を未然に防ぐことができ、自動改札装置の混雑解消にもつながる。  
さらに、携帯電話機３０側で処理を行なうので、自動改札装置に負荷がかからない。また、残額不足を通知する時刻を利用者に都合の良い時間に設定できる。
【００３５】
次に、第３の実施の形態について説明する。  
図６は、第３の実施の形態に係るプリペイド媒体機能を搭載した携帯端末装置、たとえば、交通機関において利用されるプリペイドカード機能を搭載し、当該プリペイドカード機能の利用時に価値の減算処理が行なわれる携帯電話機の構成を概略的に示すものである。この携帯電話機４０は、交通機関の駅に設置された自動改札装置（たとえば、図１の自動改札装置１０）の読取部（図１の読取部１１）にプリペイドカード機能部を翳すことで、無線通信が行なわれる。
【００３６】
プリペイドカード機能は、たとえば、非接触ＩＣカード機能で構成されていて、内蔵するメモリ４１には、増減が可能な価値情報とともに、少なくとも現在の残高情報（以降、単に残高ともいう）が記録（記憶）されている。  
携帯電話機４０は、通常の携帯電話機能の外に、あらかじめ所望の時刻を設定する時刻設定手段としての時刻設定部４２、カレンダ情報を発生するカレンダ情報発生手段としてのカレンダ情報発生部４３、基準額情報（以降、単に基準額ともいう）を記憶（記録）している基準額記憶手段としての基準額記憶部４４、処理部（ＣＰＵ等）４５、残高が推定した利用金額に満たない場合、当該携帯電話機４０の所持者に対し残額不足である旨を通知する残額不足通知手段としての表示部４６を有している。
【００３７】
処理部４５は、あらかじめ設定された所定の時刻にプリペイドカード機能のメモリ４１に記憶されている残高および基準額記憶部４４に記憶されている基準額を取得する第１の取得手段、カレンダ情報発生部４３からカレンダ情報を取得する第２の取得手段、この第２の取得手段により取得されたカレンダ情報に基づき当日が休日前かどうかを判定する第１の判定手段、この第１の判定手段による判定の結果、当日が休日前でない場合、第１の取得手段により取得された残高が基準額記憶部４４内の基準額未満かどうかを判定する第２の判定手段、第１の判定手段による判定の結果、当日が休日前である場合、第１の取得手段により取得された残高が基準額記憶部４４内の基準額に所定の割増比率を乗じた額未満かどうかを判定する第３の判定手段として機能する。
【００３８】
次に、このような構成において、携帯電話機４０に搭載されたプリペイドカード機能の残額不足通知処理の手順について図７に示すフローチャートを参照して説明する。
【００３９】
処理部４５は、時刻設定部４２によりあらかじめ設定された所定の時刻になると（ステップＳ２１）、プリペイドカード機能のメモリ４１から残高および基準額記憶部４４に記憶されている基準額をそれぞれ取得する（ステップＳ２２）。
【００４０】
次に、処理部４５は、カレンダ情報発生部４３からカレンダ情報を取得する（ステップＳ２３）。次に、処理部４５は、取得したカレンダ情報に基づき当日が休日前かどうかを判定する（ステップＳ２４）。この判定の結果、当日が休日前でない場合、処理部４５は、ステップＳ２２で取得した残高がステップＳ２２で取得した基準額未満かどうかを判定する（ステップＳ２５）。
【００４１】
ステップＳ２４における判定の結果、当日が休日前である場合、処理部４５は、ステップＳ２２で取得した残高がステップＳ２２で取得した基準額に所定の割増比率を乗じた額未満かどうかを判定する（ステップＳ２６）。ここに、上記割増比率は、システムで一定の比率にしてもよいし、利用者が設定できるようにしてもよい。
【００４２】
ステップＳ２５における判定の結果、残高が基準額未満である場合、あるいは、ステップＳ２６における判定の結果、残高が基準額に所定の割増比率を乗じた額未満である場合、処理部４５は、表示部４６に残額不足である旨、たとえば、残高が少ないのでチャージ（積み増し）が必要な旨を表示して、当該携帯電話機４０の所持者に対し通知し（ステップＳ２７）、処理を終了する。
【００４３】
なお、ステップＳ２５における判定の結果、残高が基準額未満でない場合、あるいは、ステップＳ２６における判定の結果、残高が基準額に所定の割増比率を乗じた額未満でない場合、処理を終了する。
【００４４】
このように、携帯電話機４０側で休日情報を考慮して残額不足の通知を行なうものである。すなわち、たとえば、休日前の残額不足通知の基準額を上げることにより、休日にプリペイドカード機能の残高が不足する事態を減らすことができる。また、たとえば、自動改札装置の通過時（出場時）に残高不足によって通れないという事態を未然に防ぐことができ、自動改札装置の混雑解消にもつながる。  
さらに、携帯電話機４０側で処理を行なうので、自動改札装置に負荷がかからない。また、残額不足を通知する時刻を利用者に都合の良い時間に設定できる。
【００４５】
なお、上記第３の実施の形態では、あらかじめ設定された時刻に当日が休日前かどうかの判定を行なう場合について説明したが、本発明はこれに限定されるものではなく、たとえば、プリペイドカード機能の利用時に当日が休日前かどうかの判定を行なってもよい。
【００４６】
また、上記第２、第３の実施の形態では、交通機関において利用されるプリペイドカード機能を搭載した携帯電話機に適用した場合について説明したが、本発明はこれに限定されるものではなく、価値の増減が可能なプリペイド媒体機能が搭載されていて、当該プリペイド媒体機能の利用時に価値の減算処理が行なわれる携帯端末装置であれば適用可能である。  
また、プリペイド媒体機能はプリペイドカード機能のみに限らず、たとえば、乗車券（定期券等）とプリペイドカードの両機能を有する複合カード機能であってもよい。  
さらに、プリペイド媒体機能が搭載された携帯端末装置が携帯電話機の場合について説明したが、本発明はこれに限定されるものではなく、たとえば、パーソナルデジタルアシスト（ＰＤＡ）等であってもよい。
【図面の簡単な説明】
【００４７】
【図１】本発明の第１の実施の形態に係るプリペイドカード処理システムの構成を概略的に示す模式図。
【図２】利用履歴情報の構成例を示す図。
【図３】第１の実施の形態に係るプリペイドカードの残額不足通知処理の手順について説明するフローチャート。
【図４】本発明の第２の実施の形態に係る携帯電話機の構成を概略的に示す模式図。
【図５】第２の実施の形態に係る携帯電話機に搭載されたプリペイドカード機能の残額不足通知処理の手順について説明するフローチャート。
【図６】本発明の第３の実施の形態に係る携帯電話機の構成を概略的に示す模式図。
【図７】第３の実施の形態に係る携帯電話機に搭載されたプリペイドカード機能の残額不足通知処理の手順について説明するフローチャート。
【符号の説明】
【００４８】
１０…自動改札装置（プリペイドカード処理装置）、２０…プリペイドカード（プリペイド媒体）、Ｍ…利用者、２１，３１，４１…メモリ、Ｄ１…利用履歴情報、Ｄ２…残高情報、１１…読取部（取得手段）、１２…処理部（利用金額推定手段、比較手段）、１３，３４，４６…表示部（残額不足通知手段）、３０，４０…携帯電話機（携帯端末装置）、３２…時刻設定部（時刻設定手段）、３３…処理部（取得手段、利用金額推定手段、比較手段）、４２…時刻設定部（時刻設定手段）、４３…カレンダ情報発生部（カレンダ情報発生手段）４４…基準額記憶部（基準額記憶手段）、４５…処理部（第１の取得手段、第２の取得手段、第１の判定手段、第２の判定手段、第３の判定手段）。
【図１】
2008033803.tif 000003
【図２】
2008033803.tif 000004
【図３】
2008033803.tif 000005
【図４】
2008033803.tif 000006
【図５】
2008033803.tif 000007
【図６】
2008033803.tif 000008
【図７】
2008033803.tif 000009